(57)【要約】【課題】収容されているディスク状記録媒体の出し入れをスムーズに行うと共に損傷の発生を防止する。【解決手段】下シェル１および第２シェルの連結状態においてディスク状記録媒体を収容し、各シェルの分離状態においてディスク状記録媒体の出し入れが可能に構成され、下シェル１は、ディスク状記録媒体の外周縁部を支持する支持部１３を備え、支持部１３は、下シェル１の底部に立設された支持壁１３１から迫り出すように形成された鍔部１３２を備え、支持壁１３１の外側には、ベース部、腕部および当接部１４２ａを備えた脱落防止部材１４が配設され、支持壁１３１には、当接部１４２ａを挿通させるための挿通孔１３１ｄが形成され、挿通孔１３１ｄは、支持壁１３１における鍔部１３２の間に形成され、鍔部１３２は、連続する帯状に形成されている。【選択図】図１４
2014130655.tif 000002
【特許請求の範囲】
【請求項１】
第１シェルおよび第２シェルを備えてディスク状記録媒体を収容可能に構成されると共に、収容している前記ディスク状記録媒体の出し入れが可能に構成され、
前記第１シェルは、略矩形の底部と、当該底部における対向する一対の縁部にそれぞれ配設されて前記ディスク状記録媒体が前記底部に対して平行となるように当該ディスク状記録媒体の外周縁部を支持する一対の支持部を備え、
前記各支持部は、前記底部に立設された支持壁と、前記支持壁から対向する他方の支持部に向けて迫り出すように当該各支持壁に突出形成されて前記外周縁部を支持している状態において当該外周縁部がその載置面に載置される鍔部とをそれぞれ備えて構成され、
前記支持壁の外側には、ベース部と、ベース部から張り出すように形成された複数の弾性変形可能な腕部と、当該腕部の先端部に設けられた当接部とを備えて、前記分離状態において当該支持部によって支持されている前記ディスク状記録媒体の規定値以上の力による移動を許容して当該規定値未満の力による移動を規制する脱落防止部材が配設され、
前記支持壁には、前記当接部を挿通させて当該当接部を前記支持壁の内面よりも前記第１シェルの中央部側に突出させるための挿通孔が形成され、
前記挿通孔は、前記支持壁における前記鍔部の間に形成され、
前記鍔部は、連続する帯状に形成されているカートリッジケース。
【請求項２】
前記脱落防止部材は、配設状態において、前記当接部の厚み方向の中心部が隣接する一対の前記鍔部における互いに対向する各面間の中心位置よりも当該各面のうちの前記載置面側に位置するように構成されている請求項１記載のカートリッジケース。
【請求項３】
前記脱落防止部材は、前記当接部の厚みが隣接する一対の前記鍔部における互いに対向する各面間の長さよりも薄くかつ当該各面間の長さから前記ディスク状記録媒体の厚みを差し引いた長さよりも厚くなるように構成されている請求項１または２記載のカートリッジケース。
【請求項４】
前記第１シェルは、前記底部の前記一対の縁部における前記支持部の前記支持壁よりも外側にそれぞれ立設された一対の側壁を備え、
前記側壁の内面には、前記支持壁に向かって突出する第１突起部が形成され、
前記支持壁の外面には、前記側壁に向かって突出する第２突起部が形成され、
前記各突起部は、互いに離間した状態で前記鍔部の延在方向に沿って並ぶように各々の形成位置が規定され、
前記脱落防止部材は、前記各突起部によって前記ベース部が支持された状態で当該支持壁と当該側壁との間に配設されている請求項１から３のいずれかに記載のカートリッジケース。
【請求項５】
前記第１シェルおよび前記第２シェルは、互いに連結および分離が可能に構成されて、当該各シェルの連結状態において前記ディスク状記録媒体を収容可能に構成されると共に、前記各シェルの分離状態において収容している前記ディスク状記録媒体の出し入れが可能に構成されている請求項１から４のいずれかに記載のカートリッジケース。
【請求項６】
請求項１から５のいずれかに記載のカートリッジケースと、当該カートリッジケースに収容されたディスク状記録媒体とを備えているディスクカートリッジ。
【発明の詳細な説明】
【技術分野】
【０００１】
本発明は、複数のディスク状記録媒体を収容するカートリッジケース、およびそのカートリッジケースを備えたディスクカートリッジに関するものである。
【背景技術】
【０００２】
この種のディスクカートリッジとして、特開２０１１−１０８３１２号公報に開示されたディスクカートリッジが知られている。このディスクカートリッジは、上シェルおよび下シェルを有するカートリッジ本体と、カートリッジ本体に収容された複数の光ディスクとを備えて構成されている。上シェルおよび下シェルは、互いに連結および分離が可能に構成されており、非使用状態では上シェルおよび下シェルが連結した状態に維持され、ディスクチェンジャー装置（記録再生装置）に挿入されたときにディスクチェンジャー装置によって上下に分離され、この状態で光ディスクの出し入れが行われる。上シェルは、矩形状の上面板、背面ブロックおよび前面壁を備えて構成されている。また、上シェルの上面板における内面の中央部には、支軸が立設されている。この支軸は、光ディスクの中心孔に挿通されて光ディスクの位置決めを行う機能を有している。下シェルは、矩形状の下面板、および左右ディスクホルダを備えて構成されている。左右ディスクホルダは、内面側に複数の支持溝がそれぞれ形成されて構成され、対向する一対の支持溝によって光ディスクの外側縁を支持する。また、右ディスクホルダには、光ディスクの移動を規制（脱落を防止）するためのセルフロックバネが配設されている。このセルフロックバネは、支持体および支持体に設けられた弾性片を有しており、右ディスクホルダの支持溝における長手方向の中間部分に形成された開口部から弾性片が支持溝内に突出するように配置されている。
【先行技術文献】
【特許文献】
【０００３】
【特許文献１】特開２０１１−１０８３１２号公報（第５−１２頁、第４−９図）
【発明の概要】
【発明が解決しようとする課題】
【０００４】
ところが、従来のディスクカートリッジには、以下の問題点がある。すなわち、このディスクカートリッジでは、右ディスクホルダの支持溝における長手方向の中間部分に開口部が形成され、この開口部からセルフロックバネの弾性片を支持溝内に突出させている。この場合、このディスクカートリッジでは、支持溝を構成する側壁および側壁から突出する複数の鍔部を切り欠くことにより、右ディスクホルダの上下方向（下シェルの厚み方向に沿って）に沿って縦長の長方形の開口部が形成されている。つまり、このディスクカートリッジでは、開口部が形成されることで鍔部の長手方向の中間部分において鍔部が分断されている。一方、このディスクカートリッジでは、収容されている光ディスクを出し入れする際には、光ディスクが鍔部の載置面（上面）を摺動しつつ移動する。このため、このディスクカートリッジでは、光ディスクを出し入れする際に、鍔部の載置面上を摺動しつつ移動する光ディスクの外周縁部が鍔部における分断された部分の端部に引っかかって光ディスクの移動（光ディスクの出し入れ）が困難となったり、引っかかりによって光ディスクの端面に損傷を与えたりするおそれがあるという問題点が存在する。
【０００５】
本発明は、かかる問題点に鑑みてなされたものであり、収容されているディスク状記録媒体の出し入れをスムーズに行うと共にディスク状記録媒体における損傷の発生を防止し得るカートリッジケースおよびディスクカートリッジを提供することを主目的とする。
【課題を解決するための手段】
【０００６】
上記目的を達成すべく本発明に係るカートリッジケースは、  第１シェルおよび第２シェルを備えてディスク状記録媒体を収容可能に構成されると共に、収容している前記ディスク状記録媒体の出し入れが可能に構成され、前記第１シェルは、略矩形の底部と、当該底部における対向する一対の縁部にそれぞれ配設されて前記ディスク状記録媒体が前記底部に対して平行となるように当該ディスク状記録媒体の外周縁部を支持する一対の支持部を備え、前記各支持部は、前記底部に立設された支持壁と、前記支持壁から対向する他方の支持部に向けて迫り出すように当該各支持壁に突出形成されて前記外周縁部を支持している状態において当該外周縁部がその載置面に載置される鍔部とをそれぞれ備えて構成され、前記支持壁の外側には、ベース部と、ベース部から張り出すように形成された複数の弾性変形可能な腕部と、当該腕部の先端部に設けられた当接部とを備えて、前記分離状態において当該支持部によって支持されている前記ディスク状記録媒体の規定値以上の力による移動を許容して当該規定値未満の力による移動を規制する脱落防止部材が配設され、前記支持壁には、前記当接部を挿通させて当該当接部を前記支持壁の内面よりも前記第１シェルの中央部側に突出させるための挿通孔が形成され、前記挿通孔は、前記支持壁における前記鍔部の間に形成され、前記鍔部は、連続する帯状に形成されている。
【０００７】
また、本発明に係るカートリッジケースは、前記脱落防止部材は、配設状態において、前記当接部の厚み方向の中心部が隣接する一対の前記鍔部における互いに対向する各面間の中心位置よりも当該各面のうちの前記載置面側に位置するように構成されている。
【０００８】
また、本発明に係るカートリッジケースは、前記脱落防止部材は、前記当接部の厚みが隣接する一対の前記鍔部における互いに対向する各面間の長さよりも薄くかつ当該各面間の長さから前記ディスク状記録媒体の厚みを差し引いた長さよりも厚くなるように構成されている。
【０００９】
また、本発明に係るカートリッジケースは、前記第１シェルは、前記底部の前記一対の縁部における前記支持部の前記支持壁よりも外側にそれぞれ立設された一対の側壁を備え、前記側壁の内面には、前記支持壁に向かって突出する第１突起部が形成され、前記支持壁の外面には、前記側壁に向かって突出する第２突起部が形成され、前記各突起部は、互いに離間した状態で前記鍔部の延在方向に沿って並ぶように各々の形成位置が規定され、前記脱落防止部材は、前記各突起部によって前記ベース部が支持された状態で当該支持壁と当該側壁との間に配設されている。
【００１０】
また、本発明に係るカートリッジケースは、前記第１シェルおよび前記第２シェルは、互いに連結および分離が可能に構成されて、当該各シェルの連結状態において前記ディスク状記録媒体を収容可能に構成されると共に、前記各シェルの分離状態において収容している前記ディスク状記録媒体の出し入れが可能に構成されている。
【００１１】
また、本発明に係るディスクカートリッジは、上記のカートリッジケースと、当該カートリッジケースに収容されたディスク状記録媒体とを備えている。
【発明の効果】
【００１２】
本発明に係るカートリッジケースおよびディスクカートリッジでは、支持壁における鍔部の間に挿通孔が形成され、鍔部が連続する帯状に形成されている。このため、このカートリッジケースおよびディスクカートリッジでは、第１シェルからディスク状記録媒体を出し入れする際に、鍔部の載置面を摺動しつつ移動するディスク状記録媒体の外周縁部が途切れた（分断された）鍔部の終点や開始点に引っかかってディスク状記録媒体の移動が困難となる事態を確実に防止することができるため、ディスク状記録媒体の出し入れを十分スムーズに行うことができる。また、このカートリッジケースおよびディスクカートリッジでは、引っかかる部分がないため、引っかかりによるディスク状記録媒体における損傷の発生を確実に防止することができる。
【００１３】
また、本発明に係るカートリッジケースおよびディスクカートリッジでは、当接部の厚み方向の中心部が、隣接する一対の鍔部における互いに対向する各面間の中心位置よりも載置面側に位置するように脱落防止部材が構成されている。このため、このカートリッジケースおよびディスクカートリッジでは、中心部と中心位置とが同じ位置となる構成や、中心部が中心位置よりも上方（載置面とは異なる面側）に位置する構成とは異なり、当接部の一部が載置面に載置されているディスク状記録媒体の上面よりも上方に位置して当接部がディスク状記録媒体の端面に当接したときに不安定な状態となることがなく、安定した状態で当接部をディスク状記録媒体の端面に当接させることができる。このため、このディスクカートリッジおよびディスクカートリッジによれば、脱落防止部材によるディスク状記録媒体に対する脱落防止機能を十分に機能させることができる。
【００１４】
また、本発明に係るカートリッジケースおよびディスクカートリッジでは、当接部の厚みが隣接する一対の鍔部における互いに対向する各面間の長さよりも薄くかつ各面間の長さからディスク状記録媒体の厚みを差し引いた長さよりも厚くなるように脱落防止部材が構成されている。このため、このカートリッジケースおよびディスクカートリッジでは、当接部の厚みが厚すぎて（各面間の長さよりも厚くて）挿通孔に挿通されなかったり、当接部の厚みが薄すぎて（各面間の長さからディスク状記録媒体の厚みを差し引いた長さよりも薄くて）ディスク状記録媒体の上面と鍔部の下面との間の隙間に当接部が嵌まり込んだりして、ディスク状記録媒体の端面に当接部が当接せずに脱落防止部材が十分に機能しない事態を確実に防止することができる。
【００１５】
また、本発明に係るカートリッジケースおよびディスクカートリッジでは、側壁の内面に形成された突起部と支持壁の外面に形成された突起部とによって脱落防止部材のベース部を支持するように構成されている。このため、このカートリッジケースおよびディスクカートリッジによれば、各突起部にベース部を当接させるようにして側壁と支持壁との間に脱落防止部材を挿入させるだけで脱落防止部材を予め規定された位置に配設することができる結果、カートリッジケースおよびディスクカートリッジの製造効率を十分に向上させることができる。
【００１６】
また、本発明に係るカートリッジケースおよびディスクカートリッジによれば、第１シェルおよび第２シェルを互いに連結および分離が可能に構成したことにより、各シェルの連結状態において収容しているディスク状記録媒体を各シェルの分離状態において出し入れする際に、上記の効果を実現することができる。
【図面の簡単な説明】
【００１７】
【図１】ディスクカートリッジ１００を上シェル２側から見た斜視図である。
【図２】ディスクカートリッジ１００を下シェル１側から見た斜視図である。
【図３】ディスクカートリッジ１００を背面２００ｂ側から見た斜視図である。
【図４】カートリッジケース２００を分離した状態を上シェル２側から見たディスクカートリッジ１００の斜視図である。
【図５】カートリッジケース２００を分離した状態を下シェル１側から見たディスクカートリッジ１００の斜視図である。
【図６】上シェル２を分解した状態を上シェル２側から見たカートリッジケース２００の斜視図である。
【図７】上シェル２を分解した状態を下シェル１側から見たカートリッジケース２００の斜視図である。
【図８】下シェル１の支持部１３ａ，１３ｂおよび上シェル２の挿通軸２１３の構成を説明する説明図である。
【図９】図８におけるＸ−Ｘ線断面図である。
【図１０】鍔部１３２の構成を説明する説明図である。
【図１１】支持部１３の構成を説明する説明図である。
【図１２】脱落防止部材１４の配設状態を説明する説明図である。
【図１３】脱落防止部材１４の構成を説明する説明図である。
【図１４】支持部１３と脱落防止部材１４との位置関係を説明する説明図である。
【発明を実施するための形態】
【００１８】
以下、カートリッジケースおよびディスクカートリッジの実施の形態について、添付図面を参照して説明する。
【００１９】
最初に、ディスクカートリッジ１００の構成について、図面を参照して説明する。
【００２０】
図１〜図３に示すディスクカートリッジ１００は、例えば、データセンターでの大容量の記録データの保存や、大容量の映像情報のアーカイブなどに用いられるカートリッジ式の情報記録媒体であって、カートリッジケース２００および複数（例えば、１２枚）の光ディスク３００（ディスク状記録媒体の一例：図４参照）を一式備えて構成されている。この場合、このディスクカートリッジ１００は、製造段階でカートリッジケース２００に光ディスク３００が一式収容された状態で出荷される。
【００２１】
カートリッジケース２００は、図１〜図３に示すように、全体として薄形の直方体状に形成されている。また、カートリッジケース２００は、図１〜図５に示すように、互いに連結および分離が可能な下シェル１（第１シェル）および上シェル２（第２シェル）を備えて、各シェル１，２を連結した連結状態において光ディスク３００を収容して保持することが可能に構成されている。
【００２２】
また、カートリッジケース２００は、各シェル１，２が分離した分離状態において収容している光ディスク３００の出し入れが可能に構成されている。この場合、各シェル１，２の分離状態における光ディスク３００の出し入れは、図１〜図５における左前方側から行われる。以下の説明において、カートリッジケース２００における光ディスク３００の出し入れを行う側の面を「前面２００ａ」ともいい前面２００ａに対向する側の面を「背面２００ｂ」ともいう。なお、図４，５では、カートリッジケース２００（特に下シェル１）の構成を明確化するため、全ての光ディスク３００をカートリッジケース２００から取り出した状態で図示している。
【００２３】
下シェル１は、図６，７に示すように、下壁１１（底部）および支持部１３ａ，１３ｂ（以下、区別しないときには「支持部１３」ともいう）を備えて構成されている。この場合、下シェル１は、樹脂を射出成形することによって下壁１１と支持部１３ａ，１３ｂとが一体に形成されている。この場合、下シェル１の成形に用いる樹脂としては、一例として、ポリアセタール（ＰＯＭ）、ポリアミド（ＰＡ）、ポリカーボネート（ＰＣ）、アクリロニトリルブタジエンスチレン（ＡＢＳ）およびポリブチレンテレフタレート（ＰＢＴ）などの樹脂またはそれらのポリマーアロイを用いることができる。
【００２４】
下壁１１は、図６，７に示すように、略矩形の板状に形成されている。また、下壁１１における一対の縁部１１ａ，１１ｂ（前面２００ａ側の縁部および背面２００ｂ側の縁部を除く縁部）には、側壁１１１ａ，１１１ｂが立設されている。この場合、図１２に示すように、側壁１１１ａの内面１１２には、支持壁１３１の外面１３１ｃ向けて突出する突起部１１３（第１突起部）が形成されている。
【００２５】
支持部１３ａ，１３ｂは、下壁１１における一対の縁部１１ａ，１１ｂ（側壁１１１ａ，１１１ｂの内側）にそれぞれ配設されている。この支持部１３ａ，１３ｂは、図８，９に示すように、光ディスク３００が下壁１１に対して平行となるように光ディスク３００の外周縁部３００ｂを支持可能に構成されている。具体的には、各支持部１３は、図６，９に示すように、下壁１１に立設された支持壁１３１と、支持壁１３１から対向する他方の支持部１３側（下シェル１の中央部側）に向けて迫り出すように各支持壁１３１に突出形成された幅狭で板状（帯状）の複数の鍔部１３２を備えて構成されている。また、各鍔部１３２は、支持壁１３１の高さ方向に沿って等間隔で配列されている。
【００２６】
この場合、図８に示すように、支持壁１３１および鍔部１３２は、平面視直線状のストレート部１３１ａ，１３２ａをそれぞれ備えると共に、平面視円弧状の円弧部１３１ｂ，１３２ｂをそれぞれ備えて構成されている。この支持部１３では、図９に示すように、２つの鍔部１３２と支持壁１３１とによって構成される断面がコ字状の溝部１３３に光ディスク３００の外周縁部３００ｂが挿入され、これによって光ディスク３００の外周縁部３００ｂを支持することが可能となっている。
【００２７】
また、このカートリッジケース２００では、図１０に示すように、鍔部１３２における光ディスク３００の外周縁部３００ｂが載置される面（同図における上面であって、以下「載置面１３２ｃ」ともいう）が鍔部１３２の先端部に向かうに従って（支持壁１３１から離間するに従って）下壁１１に徐々に近接するように下壁１１に平行な平面（以下、この面を「基準面１３２ｅ」ともいう）に対して傾斜するように構成されている。また、鍔部１３２における載置面１３２ｃの裏側の面（同図における下面であって、以下「裏面１３２ｄ」ともいう）が支持壁１３１の先端部に向かうに従って下壁１１から徐々に離間するよう基準面１３２ｅに対して傾斜するように構成されている。つまり、各鍔部１３２が先端部に向かうに従って徐々に薄くなるように構成されている。
【００２８】
さらに、このカートリッジケース２００では、図１０に示すように、基準面１３２ｅに対する載置面１３２ｃの傾斜角度θ１（第１傾斜角度：以下単に「載置面１３２ｃの傾斜角度θ１」ともいう）が基準面１３２ｅに対する裏面１３２ｄの傾斜角度θ２（第２傾斜角度：以下単に「裏面１３２ｄの傾斜角度θ２」ともいう）よりも小さくなるように各鍔部１３２が構成されている。抜き勾配は、使用する樹脂、鍔の長さなどによっても変化するが、一例として、傾斜角度θ１は１°〜２°、傾斜角度θ２は、３°〜５°が好ましい。
【００２９】
また、このカートリッジケース２００では、図８に示すように、上シェル２の後述する上壁２１に形成されている挿通軸２１３の中心と支持部１３の溝部１３３を形成する支持壁１３１の内面１３１ｅとの間の各シェル１，２の連結状態における最短の距離の２倍の距離をＡ１、挿通軸２１３の直径をＡ２、光ディスク３００の外径をＤ１、光ディスク３００の中心孔３０１の直径をＤ２としたときに、Ｄ２からＡ２を差し引いた差分値Ｖ２がＡ１からＤ１を差し引いた差分値Ｖ１よりも小さくなるように下シェル１および上シェル２が構成されている。なお、同図では、光ディスク３００が支持されている状態を示すために、上シェル２については、挿通軸２１３のみを図示している。
【００３０】
また、図１１に示すように、支持壁１３１の長さ方向の中間部分（ストレート部１３１ａと円弧部１３１ｂとの境界部の近傍）には、後述する脱落防止部材１４の当接部１４２ａ（図１２，１３参照）を、支持壁１３１の外面１３１ｃ側から支持壁１３１を挿通させて支持壁１３１の内面１３１ｅよりも下シェル１の中心部側（内側）に突出させるための複数（カートリッジケース２００に収容される光ディスク３００の数と同数）の挿通孔１３１ｄが、支持壁１３１の高さ方向に沿って直線上に並ぶように形成されている。この場合、挿通孔１３１ｄは、支持部１３における溝部１３３を構成する部分、つまり、各鍔部１３２の間の部分に（言い換えると、支持壁１３１における鍔部１３２の非形成部位のみに）形成されている。このように支持壁１３１における鍔部１３２の非形成部位のみに挿通孔１３１ｄを形成したことで、各鍔部１３２は、長さ方向における中間部位で分断されることなく、支持壁１３１における前面２００ａの端部（一端部）から背面２００ｂ側の端部（他端部）まで連続する帯状に形成されている。
【００３１】
また、図１２に示すように、支持壁１３１の外面１３１ｃには、側壁１１１ａに向かって突出する突起部１３１ｆ（第２突起部）が形成されている。この突起部１３１ｆは、上記した突起部１１３と共に、脱落防止部材１４の後述するベース部１４１を支持する機能を有している。この場合、同図に示すように、突起部１３１ｆおよび突起部１１３は、互いに離間した状態で鍔部１３２の延在方向に沿って並ぶように各々の形成位置が規定されている。より具体的には、このカートリッジケース２００では、突起部１１３の形成位置が突起部１３１ｆの形成位置よりも挿通孔１３１ｄに近い位置に規定されている。また、支持壁１３１の外面１３１ｃにおける挿通孔１３１ｄと突起部１３１ｆとの間には、脱落防止部材１４の後述する係止部１４３との嵌合が可能な嵌合凹部１３１ｇが形成されている。この場合、挿通孔１３１ｄの形成位置は、突起部１１３の形成位置よりも挿通孔１３１ｄから遠い位置に規定されている。つまり、このカートリッジケース２００では、突起部１３１ｆ、嵌合凹部１３１ｇ、突起部１１３および挿通孔１３１ｄが、鍔部１３２の延在方向に沿ってこの順番で並ぶように設けられている。
【００３２】
ここで、記録再生装置にこのディスクカートリッジ１００が装填されると、下シェル１と上シェル２が嵌合状態から分離状態に移行し、これ伴って下シェル１に収容されている光ディスク３００の中心孔３０１に挿通されていた上シェル２の挿通軸２１３が引き抜かれ、これによって光ディスク３００が下シェル１から取り出し（押し出し）可能な状態となる。この状態で、例えば下シェル１が光ディスク３００の取り出し方向に傾いたり、記録再生装置に衝撃が加わったりしたときには、光ディスク３００が下シェル１から滑り出したり飛び出したりするおそれがある。このような偶発的な要因による光ディスク３００の移動を防止するため、このカートリッジケース２００では、図１２に示すように、支持部１３ａの支持壁１３１と側壁１１１ａとの間に、脱落防止部材１４が配設されている。
【００３３】
脱落防止部材１４は、図１２，１３に示すように、ベース部１４１と、ベース部１４１から張り出すように形成された複数（カートリッジケース２００に収容される光ディスク３００の数と同数）の弾性変形可能な腕部１４２を備えて構成されている。また、腕部１４２の先端部には平面視半円状の当接部１４２ａが設けられている。また、ベース部１４１には、支持壁１３１の外面１３１ｃに形成されている嵌合凹部１３１ｇに嵌合可能な係止部１４３が形成されている。この場合、脱落防止部材１４は、図１２に示すように、ベース部１４１が支持壁１３１の外面１３１ｃ側に固定され、腕部１４２の当接部１４２ａが支持壁１３１に形成されている挿通孔１３１ｄから支持壁１３１の内面１３１ｅよりも下シェル１の内側（中央部側）に突出するように構成されている。この脱落防止部材１４では、各シェル１，２の分離状態において支持部１３によって支持されている光ディスク３００が偶発的にカートリッジケース２００の前面２００ａ側に移動しそうになったときに当接部１４２ａが光ディスク３００の外周縁部３００ｂの端面３０２に当接する。この場合、光ディスク３００が規定値以上の力（記録再生装置による押し出しの際の押圧力）によって移動しようとするときには、腕部１４２が弾性変形してその移動を許容し、規定値未満の力で光ディスク３００が偶発的に移動しようとするときには、腕部１４２の弾性力によってその移動を規制する機能を有している。
【００３４】
また、脱落防止部材１４は、図１４に示すように、配設状態において、当接部１４２ａの厚み方向（ディスクカートリッジ１００が記録再生装置にセットされた状態における上下方向）の中心部Ｃ１が、隣接する一対の鍔部１３２における互いに対向する各面（下方側に位置する鍔部１３２の載置面１３２ｃ、および上方側に位置する鍔部１３２の裏面１３２ｄ）の間の中心位置Ｃ２よりも載置面１３２ｃ側（下方側）に位置するように構成されている。また、脱落防止部材１４は、同図に示すように、当接部１４２ａの厚みＴ１が、隣接する一対の鍔部１３２における互いに対向する各面１３２ｃ，１３２ｄ間の長さＬ１よりも薄く、かつ長さＬ１から光ディスク３００の厚みＴ２を差し引いた長さＬ２よりも厚くなるように構成されている。
【００３５】
また、図６，７に示すように、下シェル１の背面２００ｂには、下シェル１および上シェル２が分離状態から連結状態に移行する移行時に上シェル２における後述する嵌合部２１２（図７参照）と互いに嵌合する嵌合部１５が設けられている。また、嵌合部１５（嵌合部１５，２１２の少なくとも一方の一例）の先端部には、嵌合部１５，２１２同士の嵌合を誘導する誘導部１５１が設けられている。この場合、誘導部１５１は、内面が下シェル１の高さ方向（厚み方向）に沿って延在し、外面の先端部分が内面に対して傾斜する（つまり、厚み方向に対して傾斜する）傾斜面で形成されることにより、先端に向かうに従って厚みが薄くなるように構成されている。
【００３６】
また、図６，７に示すように、下シェル１の前面２００ａには、上シェル２における後述する前面側ロック部材２４ａ，２４ｂ（以下、区別しないときには「前面側ロック部材２４」ともいう）の係合部２４２が係合する前面側被係合部１６が設けられている。また、下シェル１の背面２００ｂには、上シェル２における後述する背面側ロック部材２５ａ，２５ｂ（以下、区別しないときには「背面側ロック部材２５」ともいう）の先端部が係合する背面側被係合部１７が設けられている。さらに、下シェル１には、図６に示すように、下シェル１を補強するための補強板１８が配設されている。この場合、補強板１８は、一例としてステンレス板で形成されている
【００３７】
上シェル２は、図６，７に示すように、上壁２１（底部）、前面側ブロック２２、背面側ブロック２３、前面側ロック部材２４ａ，２４ｂ、背面側ロック部材２５ａ，２５ｂおよび誤消去防止プラグ２６を備えて構成されている。この場合、上壁２１、前面側ブロック２２および背面側ブロック２３は、一例として、樹脂の射出成形によって互いに別体に形成されて、ねじ２９（両図参照）を用いて互いに連結される。
【００３８】
上壁２１は、図６，７に示すように、略矩形の板状に形成されている。また、上壁２１における前面２００ａ側の縁部を除く各縁部２１ａ〜２１ｃには、側壁２１１ａ〜２１１ｃが立設されている。この場合、側壁２１１ａ，２１１ｂにおける背面２００ｂ側の一部が下シェル１および上シェル２の連結状態（図１〜図３に示す状態）において下シェル１の嵌合部１５と嵌合する嵌合部２１２として機能する。
【００３９】
また、図７に示すように、上壁２１の内面２１ｄの中央部には、円柱状（または、円筒状）の挿通軸２１３が立設されている。この挿通軸２１３は、下シェル１および上シェル２の連結状態において、下シェル１の支持部１３によって外周縁部３００ｂが支持されている光ディスク３００の中心孔３０１に挿通されて、光ディスク３００の中心部３００ａを支持する。
【００４０】
また、図７に示すように、上壁２１の内面２１ｄの前面２００ａには、前面側ロック部材２４ａ，２４ｂを回動可能に支持する回動軸２１４ａ，２１４ｂが立設されている。また、内面２１ｄにおける回動軸２１４ａ，２１４ｂの近傍には、壁状の規制部材２１５が立設されている。この規制部材２１５は、後述する前面側ロック部材２４ａ，２４ｂの係合部２４２と下シェル１の前面側被係合部１６とが係合したときまでに回動する回動量を超える前面側ロック部材２４ａ，２４ｂの回動を規制する機能を有している。また、規制部材２１５は、カートリッジケース２００内における光ディスク３００の収容領域２００ｃ（図４，５参照）と収容領域２００ｃを除くカートリッジケース２００内の他の領域（以下、この領域を「外周領域２００ｄ」ともいう：図６参照）とを区画して収容領域２００ｃへの埃等の異物の侵入を防止する区画壁としても機能する。
【００４１】
前面側ブロック２２は、上シェル２の前面２００ａ側を構成する部材であって、図６，７に示すように、前面側壁部２２１および区画壁２２２を備えて構成されている。前面側壁部２２１は、カートリッジケース２００の前面２００ａを構成する壁部であって、略矩形に形成されて、前面側ブロック２２が上壁２１に連結された状態において、上壁２１に対して直角をなすように構成されている。また、前面側壁部２２１には、前面側ロック部材２４ａ，２４ｂを回動させて前面側ロック部材２４ａ，２４ｂによる各シェル１，２の連結状態の維持（ロック状態）を解除するための解除部材（後述する記録再生装置に備えられている部材）を挿入させる２つの挿入孔２２１ａが形成されている。区画壁２２２は、収容領域２００ｃと外周領域２００ｄとを区画する機能を有する壁部であって、前面側壁部２２１に沿うようにして、平面視円弧状に形成されている。
【００４２】
背面側ブロック２３は、上シェル２の背面２００ｂ側を構成する部材であって、図６，７に示すように、背面側壁部２３１および区画壁２３２を備えて構成されている。背面側壁部２３１は、上シェル２１の側壁２１１ｃと共にカートリッジケース２００の背面２００ｂを構成する壁部であって、略矩形に形成されて、背面側ブロック２３が上壁２１に連結された状態において、上壁２１に対して直角をなすように構成されている。区画壁２３２は、収容領域２００ｃと外周領域２００ｄとを区画する機能を有する壁部であって、背面側壁部２３１に対向するようにして、平面視円弧状に形成されている。
【００４３】
前面側ロック部材２４ａ，２４ｂは、図６，７に示すように、上壁２１の前面２００ａ側に設けられている回動軸２１４ａ，２１４ｂを本体部２４１の挿通孔２４１ａに挿通させた状態で上シェル２に配設されて、回動軸２１４ａ，２１４ｂを中心として回動可能に構成されている。また、前面側ロック部材２４ａ，２４ｂは、各シェル１，２の連結状態において下シェル１の前面側被係合部１６に係合部２４２が近接する第１回動方向（前面側ロック部材２４ａについては係合部２４２が側壁２１１ａに向かう回動方向、前面側ロック部材２４ｂについては係合部２４２が側壁２１１ｂに向かう回動方向）に付勢部材（一例として、両図に示す、ねじりコイルばね２７）によってそれぞれ付勢されている。
【００４４】
この前面側ロック部材２４ａ，２４ｂは、各シェル１，２の連結状態において、係合部２４２が下シェル１の前面側被係合部１６に係合して連結状態を維持（各シェル１，２の分離を規制）する。また、前面側ロック部材２４ａ，２４ｂは、上記した解除部材によって第１回動方向とは逆向きの第２回動方向に回動させられときには係合部２４２と下シェル１の前面側被係合部１６との係合が解除されて連結状態を解除（各シェル１，２の分離を許容）する機能を有している。
【００４５】
背面側ロック部材２５ａ，２５ｂは、背面側ブロック２３（つまり、上シェル２の背面２００ｂ側）に配設されている。また、背面側ロック部材２５ａ，２５ｂは、上シェル２の前後方向（前面２００ａと背面２００ｂとを結ぶ方向）に沿ってスライド可能に構成されている。また、背面側ロック部材２５ａ，２５ｂは、付勢部材（一例として、図６，７に示す、コイルばね２８）によって背面２００ｂから前面２００ａに向けて付勢されている。
【００４６】
この背面側ロック部材２５ａ，２５ｂは、各シェル１，２の連結状態において、先端部が下シェル１の背面側被係合部１７に係合して連結状態を維持（各シェル１，２の分離を規制）する。また、背面側ロック部材２５ａ，２５ｂは、記録再生の解除部材（前面側ロック部材２４ａ，２４ｂを回動させる解除部材とは異なる解除部材）によって付勢の向きとは逆向きに移動させられることにより、先端部と下シェル１の背面側被係合部１７との係合が解除されて連結状態を解除（各シェル１，２の分離を許容）する機能を有している。
【００４７】
誤消去防止プラグ２６は、図６，７に示すように、背面側ブロック２３（つまり、上シェル２の背面２００ｂ側）に配設されている。また、誤消去防止プラグ２６は、図３に示すように、背面側ブロック２３の背面側壁部２３１に沿って第１位置（上書きを禁止する位置）と第２位置（上書きを許容する位置）との間でスライド可能に構成されている。
【００４８】
このディスクカートリッジ１００では、上記のようにカートリッジケース２００を構成したことで、各種の効果を実現することが可能となっている。具体的には、このディスクカートリッジ１００では、各シェル１，２の連結状態における上シェル２の挿通軸２１３の中心と支持部１３の支持壁１３１の内面１３１ｅとの間の最短の距離Ａ０の２倍の距離をＡ１、挿通軸２１３の直径をＡ２、光ディスク３００の外径をＤ１、光ディスク３００の中心孔３０１の直径をＤ２としたときに、Ｄ２からＡ２を差し引いた差分値Ｖ２がＡ１からＤ１を差し引いた差分値Ｖ１よりも小さくなるように下シェル１および上シェル２が構成されている。このため、このディスクカートリッジ１００では、例えば、持ち運びの際にディスクカートリッジ１００が振動してカートリッジケース２００内で光ディスク３００が移動したとしても、支持壁１３１の内面１３１ｅと光ディスク３００の端面３０２とが当接する以前に（つまり、内面１３１ｅと端面３０２とが当接することなく）、挿通軸２１３の外周面２１３ａと光ディスク３００の中心孔３０１の内周面３０１ａとが当接する。この場合、光ディスク３００における未記録領域の幅は、外周縁部３００ｂよりも中心部３００ａの方が十分に広く確保されている。このため、このディスクカートリッジ１００では、カートリッジケース２００内で光ディスク３００が移動したときに支持壁１３１の内面１３１ｅと光ディスク３００における外周縁部３００ｂの端面３０２とが当接する（つまり、未記録領域の幅が狭い外周縁部３００ｂ側がカートリッジケース２００に当接する）従来のディスクカートリッジと比較して、カートリッジケース２００と光ディスク３００との当接による光ディスク３００の記録領域に対する影響を十分に低減することが可能となっている。
【００４９】
また、このディスクカートリッジ１００では、カートリッジケース２００内における光ディスク３００の収容領域２００ｃと外周領域２００ｄとを区画する区画壁２２２，２３２および規制部材２１５が設けられている。このため、このディスクカートリッジ１００では、上シェル２の前面側ブロック２２の前面側壁部２２１に形成されている挿入孔２２１ａから埃等の異物がカートリッジケース２００内に侵入したとしても、これらの異物の収容領域２００ｃへの侵入が防止される結果、異物の侵入による影響を確実に回避することが可能となっている。
【００５０】
さらに、このディスクカートリッジ１００では、載置面１３２ｃが鍔部１３２の先端部に向かうに従って下壁１１に近接するように基準面１３２ｅに対して傾斜角度θ１だけ傾斜しかつ裏面１３２ｄが鍔部１３２の先端部に向かうに従って下壁１１から離間するように基準面１３２ｅに対して傾斜角度θ２だけ傾斜するように鍔部１３２が構成されている。この場合、このような傾斜は、下シェル１を射出成形する際の射出成形用金型に設けた「抜き勾配」に相当し、この「抜き勾配」を設けることで、射出成形の際に射出成形用金型の固定側金型および移動側金型を互いに引き離して成形品を取り出すときの離型性が確保される。
【００５１】
また、このディスクカートリッジ１００では、載置面１３２ｃの傾斜角度θ１が裏面１３２ｄの傾斜角度θ２よりも小さくなるように鍔部１３２が構成されている。ここで、鍔部１３２のような板状の成形品の離型性の良否は、主として両面（鍔部１３２における載置面１３２ｃおよび裏面１３２ｄ）の傾斜角度の合計値によって左右される。つまり、載置面１３２ｃの傾斜角度θ１および裏面１３２ｄの傾斜角度θ２が等しい鍔部１３２と、傾斜角度θ１，θ２が異なる鍔部１３２とでは、その離型性に大きな差が生じないこととなる。
【００５２】
一方、光ディスク３００が下シェル１の下壁１１に（基準面１３２ｅ）に沿った方向（水平方向）に位置ずれしたときの光ディスク３００の厚み方向（垂直方向）の位置ずれは、載置面１３２ｃの傾斜角度θ１が小さいほど少なく抑えられる。これらのことから、傾斜角度θ１，θ２が等しい鍔部１３２と、傾斜角度θ１が傾斜角度θ２よりも小さい鍔部１３２とを比較した場合、両鍔部１３２における傾斜角度θ１，θ２の合計値が互いに等しいときには、傾斜角度θ１が傾斜角度θ２よりも小さい鍔部１３２の方が、同等の離型性を確保しつつ、光ディスク３００が水平方向に位置ずれしたときの垂直方向の位置ずれ量を少なく抑えられることが理解される。したがって、このディスクカートリッジ１００では、光ディスク３００が水平方向に位置ずれしたり、外径寸法の異なる（外径寸法にばらつきがある）光ディスク３００が用いられたりしたときの光ディスク３００の垂直方向の位置ずれを少なく抑えることができる結果、光ディスク３００の押し出しや、押し出した光ディスク３００のカートリッジケース２００内への収容を確実に行うことが可能となっている。
【００５３】
また、このディスクカートリッジ１００では、支持壁１３１における鍔部１３２の間（支持壁１３１における鍔部１３２の非形成部位のみ）に挿通孔１３１ｄを形成することで、各鍔部１３２が、支持壁１３１の前面２００ａの端部から背面２００ｂ側の端部まで連続する（分断されることなく）帯状に形成されている。このため、このディスクカートリッジ１００では、下シェル１から光ディスク３００を出し入れする際に、鍔部１３２の載置面１３２ｃを摺動しつつ移動する光ディスク３００の外周縁部３００ｂが途切れた（分断された）鍔部１３２の終点や開始点に引っかかって光ディスク３００の移動が困難となる事態を確実に防止することができるため、光ディスク３００の出し入れをスムーズに行うことが可能となっている。引っかかる部分がないため、引っかかりによる光ディスク３００における損傷の発生を確実に防止することが可能となっている。
【００５４】
また、このディスクカートリッジ１００では、当接部１４２ａの厚み方向の中心部Ｃ１が隣接する一対の鍔部１３２の各面１３２ｃ，１３２ｄ間の中心位置Ｃ２よりも載置面１３２ｃ側（下方側）に位置するように脱落防止部材１４が構成されている。このため、このディスクカートリッジ１００では、中心部Ｃ１と中心位置Ｃ２とが同じ位置となる構成や、中心部Ｃ１が中心位置Ｃ２よりも上方に位置する構成と比較して、当接部１４２ａの厚みが同じであっても、中心部Ｃ１が載置面１３２ｃに近い分、載置面１３２ｃに載置されている光ディスク３００の上面よりも上方に位置する当接部１４２ａの部分が少なくなり（または、なくなり）、この結果、安定した状態で当接部１４２ａを光ディスク３００の端面３０２に当接させることが可能となっている。このため、このディスクカートリッジ１００では、脱落防止部材１４による光ディスク３００に対する脱落防止機能を十分に機能させることが可能となっている。
【００５５】
また、このディスクカートリッジ１００では、当接部１４２ａの厚みＴ１が、隣接する一対の鍔部１３２における互いに対向する各面１３２ｃ，１３２ｄ間の長さＬ１よりも薄く、かつ長さＬ１から光ディスク３００の厚みＴ２を差し引いた長さＬ２よりも厚くなるように脱落防止部材１４が構成されている。このため、このディスクカートリッジ１００では、当接部１４２ａの厚みが厚すぎて（長さＬ１よりも厚くて）挿通孔１３１ｄに挿通されなかったり、当接部１４２ａの厚みが薄すぎて（長さＬ２よりも薄くて）光ディスク３００の上面と鍔部１３２の裏面１３２ｄとの間の隙間に当接部１４２ａが嵌まり込んだりして、光ディスク３００の端面３０２に当接部１４２ａが当接せずに脱落防止部材１４が十分に機能しない事態を確実に防止することが可能となっている。
【００５６】
次に、ディスクカートリッジ１００の使用方法、および使用時におけるディスクカートリッジ１００を構成する各部の動きについて、図面を参照して説明する。
【００５７】
このディスクカートリッジ１００は、図外の記録再生装置にセットされていない状態では、上シェル２に配設されている前面側ロック部材２４ａ，２４ｂおよび背面側ロック部材２５ａ，２５ｂが、カートリッジケース２００の下シェル１および上シェル２の連結状態を維持している。
【００５８】
ディスクカートリッジ１００の光ディスク３００に対するデータの書き込みや、光ディスク３００からのデータの読み出しを行う際には、まず、記録再生装置にディスクカートリッジ１００をセットする。具体的には、ディスクカートリッジ１００におけるカートリッジケース２００の前面２００ａを記録再生装置の挿入口に対向させ、続いて挿入口からディスクカートリッジ１００を記録再生装置の内部に挿入する。この際に、記録再生装置がディスクカートリッジ１００を内部に引き込む。
【００５９】
また、ディスクカートリッジ１００を引き込む際に、記録再生装置の内部に配設されている解除部材が、上シェル２における前面側ブロック２２の前面側壁部２２１に形成されている挿入孔２２１ａからディスクカートリッジ１００（カートリッジケース２００）の内部に挿入されて、前面側ロック部材２４ａ，２４ｂを第２回動方向に回動させる。この前面側ロック部材２４ａ，２４ｂの回動によって前面側ロック部材２４ａ，２４ｂの係合部２４２と下シェル１の前面側被係合部１６との係合が解除される。
【００６０】
また、他の解除部材が下シェル１と上シェル２との間の進入溝２０１（図１〜図３参照）に沿ってカートリッジケース２００の背面２００ｂ側に挿入されて、背面側ロック部材２５ａ，２５ｂを背面２００ｂ側に移動させる。この背面側ロック部材２５ａ，２５ｂの移動によって背面側ロック部材２５ａ，２５ｂの先端部と下シェル１の背面側被係合部１７との係合が解除される。これにより、各ロック部材２４ａ，２４ｂ，２５ａ，２５ｂによるロック状態が解除されて、各シェル１，２が分離可能な状態となる。
【００６１】
次いで、記録再生装置は、各シェル１，２の一方のシェル（例えば、下シェル１）を他方のシェル（この例では上シェル２）から離間するように移動（下降）させる。これにより、各シェル１，２が連結状態から分離状態に移行する。この際に、光ディスク３００の中心孔３０１に挿通されている挿通軸２１３が中心孔３０１から引き抜かれる。これにより、カートリッジケース２００に収容されている光ディスク３００が出し入れ可能な状態となる。
【００６２】
この場合、このディスクカートリッジ１００では、脱落防止部材１４が配設されているため、この状態で光ディスク３００がカートリッジケース２００の前面２００ａ側に移動したときには、脱落防止部材１４の当接部１４２ａが光ディスク３００の外周縁部３００ｂの端面３０２に当接する。したがって、光ディスク３００が移動したとしても、下シェル１からの光ディスク３００の脱落が防止される。
【００６３】
続いて、記録再生装置は、各光ディスク３００の中から指定操作によって指定された１枚の光ディスク３００における背面側の外周縁部３００ｂに押圧部材（例えばロッド）を押し当てて前方（記録再生装置の奥側）に向けて押圧する。
【００６４】
ここで、このディスクカートリッジ１００では、鍔部１３２における載置面１３２ｃの傾斜角度θ１が裏面１３２ｄの傾斜角度θ２よりも小さくなるように構成されているため、上記したように、光ディスク３００が水平方向に位置ずれしたとき、また外径が標準値よりもやや大きめの光ディスク３００や小さめの光ディスク３００が用いられたとき（外径寸法にばらつきがある光ディスク３００が用いられたとき）の垂直方向の位置ずれを少なく抑えられる。このため、各シェル１，２が連結状態から分離状態に移行する際に光ディスク３００が水平方向に位置ずれしたとしても、光ディスク３００の垂直方向の位置ずれが少なく抑えられる結果、光ディスク３００の外周縁部３００ｂに押圧部材が確実に当接して光ディスク３００が確実に押圧される。
【００６５】
次いで、押圧部材によって押圧された光ディスク３００の外周縁部３００ｂが支持部１３における溝部１３３に沿って前方に向けて移動する。次いで、記録再生装置は、この光ディスク３００をさらに押圧して、下シェル１の前方に位置する回転機構（光ディスク３００を回転させる機構）の配置位置まで光ディスク３００を押し出す。この場合、上記したように、押圧部材が光ディスク３００の外周縁部３００ｂに確実に当接して光ディスク３００を確実に押圧するため、光ディスク３００の押し出しが確実に行われる。
【００６６】
また、このディスクカートリッジ１００では、支持部１３の各鍔部１３２が、途中で分断されることなく、支持壁１３１の前面２００ａの端部から背面２００ｂ側の端部まで連続する帯状に形成されている。このため、光ディスク３００の押し出しの際に、光ディスク３００の外周縁部３００ｂと鍔部１３２との引っかかりが防止されて、光ディスク３００がスムーズに押し出される。
【００６７】
続いて、回転機構が、押し出された光ディスク３００保持する。次いで、記録再生装置は、光ディスク３００に対するデータの書き込みや、光ディスク３００からのデータの読み出しを行う。続いて、データの書き込みや読み出しの処理が終了したときには、記録再生装置は、光ディスク３００をカートリッジケース２００の背面２００ｂ側（記録再生装置の挿入口側）に向けて押圧して下シェル１に挿入させる。この際に、光ディスク３００の外周縁部３００ｂが支持部１３の溝部１３３に沿ってカートリッジケース２００の背面２００ｂ側に向けて移動する。
【００６８】
この際にも、上記したように、支持部１３の各鍔部１３２が途中で分断されることなく連続する帯状に形成されているため、光ディスク３００の外周縁部３００ｂと鍔部１３２との引っかかりが防止されて、光ディスク３００がスムーズに移動させられる。次いで、光ディスク３００が初期位置（押し出される前の位置）に移動した時点で押圧を終了する。
【００６９】
続いて、記録再生装置は、下シェル１を上シェル２に近接するように移動（上昇）させる。これにより、各シェル１，２が分離状態から連結状態に移行する。この際に、下シェル１の嵌合部１５と上シェル２の嵌合部２１２とが互いに嵌合する。この場合、このカートリッジケース２００では、嵌合部１５の先端部に誘導部１５１が設けられている。このため、分離状態から連結状態に移行する際に（下シェル１の移動の際に）、嵌合部１５，２１２同士が衝突することなく両者の嵌合が誘導される（この例では、嵌合部１５が嵌合部２１２の内側に進入するように案内される）結果、各シェル１，２が分離状態から連結状態に確実かつスムーズに移行する。
【００７０】
また、各シェル１，２が分離状態から連結状態に移行する際に、上シェル２の挿通軸２１３が各光ディスク３００の中心孔３０１に挿通される。これにより、光ディスク３００の外周縁部３００ｂが下シェル１の支持部１３によって支持され、光ディスク３００の中心部３００ａが上シェル２の挿通軸２１３によって支持される。
【００７１】
次いで、記録再生装置は、ディスクカートリッジ１００を挿入口の外側に向けて押し出す。この際に、解除部材が、上シェル２における前面側壁部２２１の挿入孔２２１ａから引き抜かれ、これに伴って前面側ロック部材２４ａ，２４ｂが、ばねの付勢力によって第１回動方向に回動させられる。この結果、前面側ロック部材２４ａ，２４ｂの係合部２４２と下シェル１の前面側被係合部１６とが係合する。また、他の解除部材が下シェル１と上シェル２との間の進入溝２０１に沿って引き抜かれ、これに伴って背面側ロック部材２５ａ，２５ｂがばねの付勢力によって前面側に移動させられる。この結果、背面側ロック部材２５ａ，２５ｂの先端部と下シェル１の背面側被係合部１７とが係合する。これにより、各ロック部材２４ａ，２４ｂ，２５ａ，２５ｂによって各シェル１，２の連結状態が維持される（ロック状態に移行する）。これにより、ディスクカートリッジ１００が記録再生装置から取り出し可能な状態となる。
【００７２】
このように、このカートリッジケース２００およびディスクカートリッジ１００では、支持壁１３１における鍔部１３２の間に挿通孔１３１ｄが形成され、鍔部１３２が連続する帯状に形成されている。このため、このカートリッジケース２００およびディスクカートリッジ１００では、下シェル１から光ディスク３００を出し入れする際に、鍔部１３２の載置面１３２ｃを摺動しつつ移動する光ディスク３００の外周縁部３００ｂが途切れた（分断された）鍔部１３２の終点や開始点に引っかかって光ディスク３００の移動が困難となる事態を確実に防止することができるため、光ディスク３００の出し入れを十分スムーズに行うことができる。また、引っかかる部分がないため、引っかかりによる光ディスク３００における損傷の発生を確実に防止することができる。
【００７３】
また、このカートリッジケース２００およびディスクカートリッジ１００では、当接部１４２ａの厚み方向の中心部Ｃ１が、隣接する一対の鍔部１３２における互いに対向する各面１３２ｃ，１３２ｄ間の中心位置Ｃ２よりも載置面１３２ｃ側に位置するように脱落防止部材１４が構成されている。このため、このカートリッジケース２００およびディスクカートリッジ１００では、中心部Ｃ１と中心位置Ｃ２とが同じ位置となる構成や、中心部Ｃ１が中心位置Ｃ２よりも上方に位置する構成と比較して、当接部１４２ａの厚みが同じであっても、中心部Ｃ１が載置面１３２ｃに近い分、載置面１３２ｃに載置されている光ディスク３００の上面よりも上方に位置する当接部１４２ａの部分が少なくなり（または、なくなり）、この結果、安定した状態で当接部１４２ａを光ディスク３００の端面３０２に当接させることができる。このため、このカートリッジケース２００およびディスクカートリッジ１００によれば、脱落防止部材１４による光ディスク３００に対する脱落防止機能を十分に機能させることができる。
【００７４】
また、このカートリッジケース２００およびディスクカートリッジ１００では、当接部１４２ａの厚みＴ１が隣接する一対の鍔部１３２における互いに対向する各面１３２ｃ，１３２ｄ間の長さＬ１よりも薄く、かつ長さＬ１から光ディスク３００の厚みＴ２を差し引いた長さＬ２よりも厚くなるように脱落防止部材１４が構成されている。このため、このカートリッジケース２００およびディスクカートリッジ１００では、当接部１４２ａの厚みが厚すぎて（長さＬ１よりも厚くて）挿通孔１３１ｄに挿通されなかったり、当接部１４２ａの厚みが薄すぎて（長さＬ２よりも薄くて）光ディスク３００の上面と鍔部１３２の裏面１３２ｄとの間の隙間に当接部１４２ａに嵌まり込んだりして、光ディスク３００の端面３０２に当接部１４２ａが当接せずに脱落防止部材１４が十分に機能しない事態を確実に防止することができる。
【００７５】
また、このカートリッジケース２００およびディスクカートリッジ１００では、側壁１１１ａの内面１１２に形成された突起部１１３と支持壁１３１の外面１３１ｃに形成された突起部１３１ｆとによって脱落防止部材１４のベース部１４１を支持するように構成されている。このため、このカートリッジケース２００およびディスクカートリッジ１００によれば、突起部１１３，１３１ｆにベース部１４１を当接させるようにして側壁１１１ａと支持壁１３１との間に脱落防止部材１４を挿入させるだけで脱落防止部材１４を予め規定された位置に配設することができる結果、カートリッジケース２００およびディスクカートリッジ１００の製造効率を十分に向上させることができる。
【００７６】
また、このカートリッジケース２００およびディスクカートリッジ１００によれば、下シェル１および上シェル２を互いに連結および分離が可能に構成したことにより、各シェル１，２の連結状態において収容している光ディスク３００を各シェル１，２の分離状態において出し入れする際に、上記の効果を実現することができる。
【００７７】
なお、カートリッジケースおよびディスクカートリッジの構成は、上記の構成に限定されない。例えば、当接部１４２ａの厚み方向の中心部Ｃ１が、隣接する一対の鍔部１３２における互いに対向する載置面１３２ｃおよび裏面１３２ｄの間の中心位置Ｃ２よりも下方側（載置面１３２ｃ側）に位置するように脱落防止部材１４を構成した例について上記したが、中心部Ｃ１が中心位置Ｃ２と同じ位置となったり、中心部Ｃ１が中心位置Ｃ２よりも上方（裏面１３２ｄ）側に位置したりするように脱落防止部材１４を構成することもできる。
【００７８】
また、当接部１４２ａの厚みＴ１が上記した長さＬ１よりも薄くかつ長さＬ１から厚みＴ２を差し引いた長さＬ２よりも厚くなるように脱落防止部材１４を構成した例について上記したが、当接部１４２ａの厚みＴ１が長さＬ１よりも薄いという条件を満たす限り、厚みＴ１を任意に規定した脱落防止部材１４を採用することができる。
【００７９】
また、係止部１４３を嵌合凹部１３１ｇに嵌め込んで脱落防止部材１４を支持する例について上記したが、係止部１４３および嵌合凹部１３１ｇを用いることなく、突起部１１３，１３１ｆだけで脱落防止部材１４を支持する構成を採用することもできる。また、接着剤を用いて脱落防止部材１４を側壁１１１ａと支持壁１３１との間に固定する構成を採用することもできる。
【００８０】
また、支持部１３ａの支持壁１３１と側壁１１１ａとの間に脱落防止部材１４を配設した例について上記したが、支持部１３ｂの支持壁１３１と側壁１１１ｂとの間に脱落防止部材１４を配設する構成を採用することもできる。さらに、支持部１３ａの支持壁１３１と側壁１１１ａとの間、および支持部１３ｂの支持壁１３１と側壁１１１ｂとの間の双方に脱落防止部材１４を配設する構成（つまり、脱落防止部材１４を２つ備えた構成）を採用することもできる。
【００８１】
さらに、樹脂で形成した脱落防止部材１４を用いる構成例について上記したが、樹脂以外の材料（例えば、金属）で形成した脱落防止部材１４を用いる構成を採用することもできる。
【００８２】
また、下シェル１を構成する下壁１１と支持部１３ａ，１３ｂとを一体に形成した例について上記したが、下壁１１と支持部１３ａ，１３ｂとを別体に形成してねじ等を用いて連結する構成を採用することもできる。また、カートリッジケース２００内に１２枚の光ディスク３００を収容する構成例について上記したが、カートリッジケース２００に収容する光ディスク３００の数はこれに限定されず、任意に規定することができる。この場合、収容する光ディスク３００に応じて鍔部１３２の数も任意に変更することができる。
【符号の説明】
【００８３】
１  下シェル
２  上シェル
１１  下壁
１１ａ，１１ｂ  縁部
１３ａ，１３ｂ  支持部
１４  脱落防止部材
１００  ディスクカートリッジ
１１１ａ，１１１ｂ  側壁
１１２  内面
１１３  突起部
１３１  支持壁
１３１ｃ  外面
１３１ｄ  挿通孔
１３１ｆ  突起部
１３２  鍔部
１３２ｃ  載置面
１３２ｄ  裏面
１４１  ベース部
１４２  腕部
１４２ａ  当接部
２００  カートリッジケース
３００  光ディスク
３００ｂ  外周縁部
３０２  端面
Ｃ１  中心部
Ｃ２  中心位置
Ｌ１，Ｌ２  長さ
Ｔ１，Ｔ２  厚み
【図１】
2014130655.tif 000003
【図２】
2014130655.tif 000004
【図３】
2014130655.tif 000005
【図４】
2014130655.tif 000006
【図５】
2014130655.tif 000007
【図６】
2014130655.tif 000008
【図７】
2014130655.tif 000009
【図８】
2014130655.tif 000010
【図９】
2014130655.tif 000011
【図１０】
2014130655.tif 000012
【図１１】
2014130655.tif 000013
【図１２】
2014130655.tif 000014
【図１３】
2014130655.tif 000015
【図１４】
2014130655.tif 000016